(57)【特許請求の範囲】
【請求項１】
薄手の板材（２）に多数穿設されて放射状をなす透孔群が略矢印形透孔（３）と該略矢印形透孔（３）間に介在せる略雨滴形透孔（４）とからなり、且つ略雨滴形透孔（４）の最狭部（４ａ）が各略矢印形透孔（３）の相対する括れ部（３ｂ）間に夫々配されてなることを特徴とする排水、換気用等の多孔蓋。
【請求項２】
略矢印形透孔（３）と略雨滴形透孔（４）の間で残存する板部（２ａ）の閉塞幅（Ａ）が、各透孔（３），（４）における最大開口幅（ａ）以下となされた請求項１記載の排水、換気用等の多孔蓋。
【請求項３】
板材（２）が湾曲状又は椀形状をなす請求項１又は請求項２記載の排水、換気用等の多孔蓋。
【請求項４】
板材（２）の外周縁に凹部（１６）が断続して設けられた請求項１又は２又は３記載の排水、換気用等の多孔蓋。
【発明の詳細な説明】
【０００１】
【発明の属する技術分野】
本発明は、例えば街路、公園等各種場所に設置される植栽用ブロックやその他植木鉢の水抜き孔に設けられたり、台所の流し、浴室、各種水洗い場、その他排水を必要とする場所の排水孔や、建物、装置等の通気孔、換気孔等にも設けることができる排水、換気用等の多孔蓋に関するものである。
【０００２】
【従来の技術】
従来、例えば植栽用ブロックや植木鉢においては、ブロックや鉢内に充填した植栽土や粗骨材等の植栽用充填材の水抜き孔からの流出を防止するために、ブロックや鉢に設けた水抜き孔に対してネットや多数の透孔を有する通水板が配されている。又、台所の流し、浴室、各種水洗い場、その他排水を必要とする場所の排水孔や、建物、装置等の通気孔、換気孔に対しても、ゴミ、異物等の排水孔内や通気孔内、換気孔内への流入、侵入を防止するために、多数の長孔や円孔等の透孔を有する通水板或いは通気板が配されている。
【０００３】
【発明が解決しようとする課題】
しかしながら、かかる従来のネットや通水板、通気板は、その開口状態が細かすぎて目詰まりを生じたり、反対に粗すぎて植栽用充填材或いはゴミ、異物等がネットや通水板、通気板を通過したり、透孔が単純な形状で板面における透孔率が低かったり、板材が薄くて変形を生じたりして、濾材としての機能に劣る問題点があった。
本発明はかかる従来の問題点に鑑みてなされたもので、植栽用ブロックや植木鉢の水抜き孔を始め、各種場所の排水孔や、建物、装置等の通気孔、換気孔に対し、高い透孔率を有して排水や通気、換気が速やかに効率よくできるとともに、目詰まりの発生、植栽用充填材或いはゴミ、異物、小動物等の通過を防止し、更に変形が生じ難い濾材として好適な排水、換気用等の多孔蓋を提供することを課題とする。
【０００４】
【課題を解決するための手段】
上記課題を解決するため、本発明の排水、換気用等の多孔蓋は、薄手の板材２に多数穿設されて放射状をなす透孔群が略矢印形透孔３と該略矢印形透孔３間に介在せる略雨滴形透孔４とからなり、且つ略雨滴形透孔４の最狭部４ａが各略矢印形透孔３の相対する括れ部３ｂ間に夫々配されてなることを特徴とする。又、かかる略矢印形透孔３と略雨滴形透孔４の間で残存する板部２ａの閉塞幅Ａが各透孔３，４における最大開口幅ａ以下となされた構成を採用することができる。
【０００５】
かかる本発明の多孔蓋によれば、薄手の板材２に多数穿設されてなる透孔群が、略矢印形透孔３と該略矢印形透孔３間に介在せる略雨滴形透孔４とから形成されて放射状を呈するとともに、略雨滴形透孔４の最狭部４ａが各略矢印形透孔３の相対する括れ部３ｂ間に夫々配されてなるために、略矢印形透孔３間で板材２の中心を指向せる略雨滴形透孔４を長大となしてその透孔度合いを極めて大きくなすことができる。又、略矢印形透孔３と略雨滴形透孔４との間で残存する板部２ａの閉塞幅Ａが各透孔３，４における最大開口幅ａ以下となされているため、略矢印形透孔３と略雨滴形透孔４が板面を占有する面積が更に広くなり、多孔蓋１としての透孔率を著しく増大させて、植栽用ブロックや植木鉢の水抜き孔にあっては、かかる各透孔３，４を介して行われるべき植栽用充填材への通気や植栽用充填材からの排水が支障なく行われるとともに、前記各透孔３，４の最大開口幅ａは、かかる多孔蓋１に臨む植栽用充填材の主たる粒度（粒径）より稍小さく設定されるので、多孔蓋１に目詰まりを生じたり、或いは、植栽用充填材が多孔蓋１を通過したりすることがなく、水抜き孔の濾材として好適な使用が行える。
【０００６】
又、各種場所の排水孔や、建物、装置等の通気孔、換気孔にあっても、前記各透孔３，４を介して排水或いは通気、換気が支障なく行われるとともに、前記各透孔３，４の最大開口幅ａは、排水孔或いは通気孔、換気孔の孔内の流通の妨げとなるゴミ、異物、小動物等の大きさより小さく設定されるので、多孔蓋１に目詰まりを生じたり、或いは、ゴミ、異物、小動物等が多孔蓋１を通過したりすることがなく、前記排水孔、通気孔、換気孔の濾材として好適な使用が行える。
【０００７】
又、本発明の排水、換気用等の多孔蓋は、板材２が湾曲状又は椀形状をなす構成、或いは、板材２の外周縁に凹部１６が断続して設けられた構成を採用することができる。
かかる本発明の多孔蓋によれば、板材２が湾曲状又は椀形状に曲成されてなるために、水抜き孔、排水孔、通気孔、換気孔への多孔蓋１の設置に際し、その凸湾曲面又は凸椀形面を植栽用充填材と臨む側や排水孔、通気孔、換気孔の外方に向けて設置することで、凸曲成されてなる板材２の張力により、植栽用ブロック及び植木鉢の水抜き孔にあっては植栽用充填材と植物の重量、各種場所の排水孔や建物、装置等の通気、換気孔にあっては不測の衝突力等に抵抗せる耐力を有して変形が生じず、又、板材２の外周縁に凹部１６を設ければ、前記水抜き孔や排水孔にあって、該水抜き孔や排水孔と底部や床との連設部、即ち、多孔蓋１と底部や床との境目に多数の凹部１６による排水機能が付加され、底部上や床上の流水を直接的に孔内へ落下させることができ、更に、前記湾曲状又は椀形状をなす多孔蓋１の外周縁に凹部１６を併設すれば凸曲成せる板材２の表面形状により、前記水抜き孔や排水孔にあっては板材２の上面の板部２ａに臨む流水が外周縁部に向かって下る勾配に導かれるとともに、その外縁部で多孔蓋１の係止部たる水抜き孔や排水孔の上縁段部から浮上して板材２と前記上縁段部との間に隙間１７を有してなる多数の凹部１６からスムーズに排水されるという特異性を有し、夫々前記略矢印形透孔３と略雨滴形透孔４と相まって強固で排水性能が更に高効率な濾材として、前記水抜き孔、排水孔、通気孔、換気孔で好適な使用が行える。
【０００８】
【発明の実施の形態】
以下、図面を参照しながら本発明の実施の形態について説明する。
図１は本発明の多孔蓋の一実施の形態を示し、１は本実施形態の多孔蓋であって、薄手の円形状板材２に多数穿設されてなる透孔群が、略矢印形透孔３と該略矢印形透孔３間に介在せる略雨滴形透孔４とから形成され、略雨滴形透孔４の最狭部４ａが各略矢印形透孔３の相対する括れ部３ｂ間に夫々位置し、且つ各透孔３，４の最狭部３ａ，４ａが板材２の中心を夫々指向した放射状を呈してなるとともに、それらの間に残存する板材２の板部２ａの閉塞幅Ａが各透孔３，４の最大開口幅ａ以下となされている。
【０００９】
即ち、略矢印形透孔３と略雨滴形透孔４との組み合わせ及びその配列によって多孔蓋１の透孔率が極めて大きくなされているとともに、各透孔３，４の最大開口幅ａが所定幅に設定され、例えば多孔蓋１が植栽用ブロックや植木鉢の水抜き孔に使用される場合には、植栽用充填材の主たる粒度（粒径）より稍小さく設定され、各種場所の排水孔や、建物、装置等の通気孔、換気孔に使用される場合には、排水孔或いは通気孔、換気孔の孔内の流通の妨げとなるゴミ、異物、小動物等の大きさより小さく設定されるものである。
【００１０】
尚、多孔蓋１をなす板材２の材質は、ステンレス鋼が強度、防食性の面で好ましいが、他の金属や合成樹脂等であってもよい。又、板材２は円形に限定されることなく、例えば図２（イ）及び（ロ）に示すような方形、八角形の他、三角形、多角形、だ円形等適宜形状となされてもよい。
又、略矢印形透孔３と略雨滴形透孔４の数、大きさについても上記条件を満たしておればよく、又、例えば図２（イ）の左半部及び同図（ロ）に示すように、板材２が円形以外の形状で該形状に対応すべく各透孔３，４が放射状に配列され、各透孔３，４における最大開口幅ａが一定しない場合には、その内の最小となる最大開口幅ａ以下に上記閉塞幅Ａが設定される。
尚、又、上記各多孔蓋１における最大開口幅ａは、略矢印形透孔３若しくは略雨滴形透孔４の外端部における寸法で夫々構成されてなるが、該最大開口幅ａをなす透孔部位は、例えて図２（ハ）に示す如き略矢印形透孔３の鏃部をなす膨出部位の寸法であってもよい。
又、上記各多孔蓋１にあっては、板部２ａの閉塞幅Ａが各透孔３，４の最大開口幅ａ以下となされることで、その透孔率が著しく大きくなって好ましいが、例えて図２（イ）の右半部に示す如く、略雨滴形透孔４の変形態様によって板部２ａの閉塞幅Ａが部分的に各透孔３，４の最大開口幅ａより大きくなっても、各略雨滴形透孔４の最狭部４ａが各略矢印形透孔３の相対する括れ部３ｂ間に、該括れ部３ｂに近接して夫々配されるために、略矢印形透孔３間で板材２の中心を指向せる略雨滴形透孔４を長大となしてその透孔度合いを極めて大きくなし、多孔蓋１全体としての透孔率の低下を極力少なくすることができる。
さらに、板材２の中央部の円孔５についても、円形以外の他の形状の孔であってもよいし、或いは設けられていなくともよい。
【００１１】
次に、本発明の多孔蓋１の使用例について説明する。
例えば図３は、植栽用ブロック６の底部６ａから貫設せる水抜き孔７の上縁段部７ａに多孔蓋１が係止され、植栽用ブロック６内で多孔蓋１を植栽用充填材、即ち、植栽土８の下位にある粗骨材９に臨ませて使用される場合を示す。
この場合には、多孔蓋１の透孔率が極めて大きいことから、各透孔３，４を介して行われるべき植栽用充填材への通気や植栽用充填材からの排水が効率よく行われるとともに、前記各透孔３，４の最大開口幅ａは、多孔蓋１に臨む植栽用充填材、即ち、植栽土８の水捌けを促進する粗骨材９の主たる粒度（粒径）より稍小さく設定されてなるために、各透孔３，４への植栽用充填材の目詰まりや、各透孔３，４からの植栽用充填材の流出漏れを確実に防止することができる。
【００１２】
図４（イ）及び（ロ）は、水洗い場等の床１０に設けた排水孔１１の上段縁部１１ａに多孔蓋１が係止されて使用される場合を示す。
この場合には、多孔蓋１の透孔率が極めて大きいことから、各透孔３，４を介して排水が効率よく行われるとともに、前記各透孔３，４の最大開口幅ａは、排水孔１１の孔内に停滞して流通の妨げとなるゴミ、異物等の大きさより小さく設定されてなるために、各透孔３，４へのゴミ、異物等の目詰まりや、各透孔３，４から排水孔１１内へのゴミ、異物等の流入を確実に防止することができる。
又、図４（ハ）に示す如く、板材２の中央部の円孔５を利用し、ボルト，ナット等で板材２の下面側に椀形トラップ１５を連結すれば、下水を通す排水孔１１内からの臭気を遮断する防臭型の多孔蓋１となすこともできる。
【００１３】
図５は、建物や装置の壁１２に設けた換気孔１３に、該換気孔１３の屋外や装置外で略半球状の庇をなす外カバー１４とともに多孔蓋１が取付けられて使用される場合を示す。
この場合にも、多孔蓋１の透孔率が極めて大きいことから、各透孔３，４を介して換気が効率よく行われるとともに、前記各透孔３，４の最大開口幅ａは、換気孔１３の孔内の流通の妨げとなったり、建物内、装置内等に侵入してはならないゴミ、異物、小動物等の大きさより小さく設定されてなるために、各透孔３，４の目詰まりや、各透孔３，４から換気孔１３内、延いては建物、装置内へのゴミ、異物、小動物等の流入、侵入を確実に防止することができる。
尚、上記外カバー１４の形状は一例で、その形状は適宜変更されればよいし、又、該外カバー１４は、設けられなくても良い。
【００１４】
次に、図６において本発明の多孔蓋の他実施の形態を説明する。
本実施の形態は、前記実施の形態と同一部分及び部材は夫々同一の符号を使用し、その説明はこれを援用する。
本実施の形態における多孔蓋１は、図６（イ）乃至（ハ）に示す如く、前記板材２が略皿形に凸湾曲成形されるとともに、その外縁を略山形に欠設して形成した凹部１６が外周縁にわたって断続して設けられてなる。
【００１５】
而して、本実施の形態の多孔蓋１の使用例について説明すると、例えば図６（ニ）乃至（ヘ）に示す如く、植栽用ブロック６の底部６ａから貫設せる水抜き孔７の上縁段部７ａ、又は、水洗い場等の床１０に設けた排水孔１１の上縁段部１１ａに、その凸湾曲側を上向けて多孔蓋１の外周縁が係止される。
この場合、前記実施の形態に係る多孔蓋が奏する作用、効果に加えて、凸湾曲せる板材２の張力により、植栽用ブロック６の水抜き孔７にあっては植栽用充填材と植物の重量、床１０の排水孔１１にあっては不測の衝突力等に抵抗せる耐力を有して多孔蓋１の変形を防止し、又、凸湾曲せる板材２の表面形状及び外周縁にある多数の凹部１６により、前記水抜き孔７や排水孔１１において板材２の上面の板部２ａに臨む流水を外周縁部に向かって下る勾配で導くとともに、その縁部で上縁段部７ａ，１１ａ面から浮上して板材２と前記上縁段部７ａ，１１ａとの間に隙間１７を有してなる凹部１６から抵抗なく水抜き孔７、排水孔１１へ排出するという作用を付加でき、上記水抜き孔７、排水孔１１で更に好適な使用が可能となる。
尚、本実施の形態の多孔蓋１の使用として、水抜き孔７及び排水孔１１を例示したが、当該多孔蓋１を建物や装置等の壁に設けた通気孔、換気孔等に使用してもよいことは無論である。又、本実施の形態の多孔蓋１における凸湾曲度合いや凹部１６の欠設形状、数等も自由に設計変更可能である。
【００１６】
又、図７において板材２の曲成形態が異なる多孔蓋１を例示すると、図７（イ）の右半部に示す多孔蓋１は、板材２が断面略台形の椀形に、又、同左半部に示す多孔蓋１は、板材２が断面略釣鐘形の椀形に形成されてなり、夫々植栽用ブロック６の底部６ａに貫設せる水抜き孔７の上縁段部７ａにその凸曲成側を上向けて多孔蓋１の外周縁が係止されてなる。
この場合、板材２が椀形に曲成されることで、その表面積が飛躍的に増大し、これに比例して略矢印形透孔３及び略雨滴形透孔４による透孔率も一挙に増大するとともに、その凹面側に形成される水抜き孔７と連通する大なる内腔が前記各透孔３，４による排水及び通気を助成して一層高効率な排水及び通気が可能となる。更に、夫々底部６ａから椀形を呈して植栽用充填材側に大きく突出し、その板材２が植栽土８と広い面積で接し、且つ大なる内腔を有してなるために、図３（イ）に示す如き粗骨材９を用いずとも植栽用ブロック６内で植栽土８に直接臨んで植栽土８からの排水及び植栽土８への通気ができ、植栽に際する使用が経済的に行える。
尚、上記多孔蓋１は、上縁段部７ａと全周にわたって相接してなるが、かかる多孔蓋１の外周縁部に凹部１６を適宜欠設して、前記相接部の排水及び通気性を向上せしめることも可能である。
【００１７】
又、図７（ロ）は、上記各椀形の多孔蓋１を水洗い場等の床１０に設けた排水孔１１に使用した例を示し、かかる多孔蓋１は、板材２の外周縁が外方に向け曲折された係止片２ｂを有し、該係止片２ｂが排水孔１１の上縁段部１１ａに係止され、その凸曲成側を下向けて排水孔１１内へ吊下されてなる。而して、必要に応じて前出の平板状をなす他の多孔蓋１の外周縁が前記係止片２ｂ上に係止されて椀形の凹面側の内腔を閉塞してなる。
この場合、略矢印形透孔３及び略雨滴形透孔４を介して排水が効率よく行われることは素より、各多孔蓋１が二重の濾材をなして排水孔１１内へのゴミ、異物等の流入を確実に防止することができ、又、排水孔１１内にある椀形の多孔蓋１の凹面側をゴミ、異物等の集積箇所となして衛生的な使用が行える。
【００１８】
又、図８において前出の平板状をなす板材２の外周形態が異なる多孔蓋１を例示すると、図８（イ）に示す多孔蓋１は、円形をなす板材２の外縁を略釣鐘状に欠設して形成した凹部１６が外周縁にわたって断続して設けられてなり、当該多孔蓋１の使用例は、図８（イ）及び（ロ）に示す如く、植栽用ブロックの底部６ａ（又は床１０）に設けた水抜き孔７（又は排水孔１１）の上縁段部７ａ（又は１１ａ）に多孔蓋１の外周縁が係止されるとともに、凹部１６の最凹陥部が上縁段部７ａ（又は１１ａ）の内縁より内側に位置して開口状の通孔１８を形成してなる。更に又、同図（イ）及び（ロ）の左半部における水抜き孔７（又は排水孔１１）の上縁には、係止突起７ｂ（又は１１ｂ）が底部６ａ（又は床１０）から一体的、且つ断続的に突設され凹部１６と凹凸嵌合して多孔蓋１の回動を阻止してなる。
次に、図８（ハ）に示す多孔蓋１は、八角形をなす板材２の外縁を略釣鐘状（同図右半部）又は略台形状（同図左半部）に欠設して形成した凹部１６が外周縁にわたって断続して設けられてなり、当該多孔蓋１の使用例は、図８（ハ）及び（ニ）に示す如く、多孔蓋１の断続せる外周縁が、該外周縁に相応すべく断続されて形成された水抜き孔７（又は排水孔１１）の上縁段部７ａ（又は１１ａ）に係止されるとともに、前記上縁段部７ａ（又は１１ａ）間、即ち、多孔蓋１の凹部１６下が縦溝７ｃ（又は１１ｃ）状に開口されて通孔１８を形成してなる。尚、上記縦溝７ｃ（又は１１ｃ）は、同図（ハ）及び（ニ）の右半部においては水抜き孔７（又は排水孔１１）の全長にわたり設けられ、又、同左半部においてはそれの中途部まで設けられている。
これらの場合、板材２の外周縁に凹部１６を欠設し、且つ該凹部１６下で水抜き孔７（又は排水孔１１）との間に通孔１８を形成することで、水抜き孔７（又は排水孔１１）と底部６ａ（又は床１０）との連設部、即ち、多孔蓋１と底部６ａ（又は床１０）との境目に前記凹部１６と通孔１８による排水機能が付加され、底部６ａ（又は床１０）上の流水を直接的に水抜き孔７（又は排水孔１１）内へ落下せしめることができ、上記略矢印形透孔３及び略雨滴形透孔４と相まって更にスムーズな排水を可能となす。
【００１９】
尚、又、本発明に係る各多孔蓋１は、上記使用例に限定されることなく、各種植木鉢の水抜き孔、各種の排水を必要とする場所の排水孔、建物、装置等の通気孔、換気孔等適宜場所に適宜手段、方法で設けられればよい。
【００２０】
【発明の効果】
以上詳述した如く、本発明の排水、換気用等の多孔蓋は、薄手の板材に多数穿設されてなる透孔群が、略矢印形透孔と該略矢印形透孔間に介在せる略雨滴形透孔とから形成されて放射状を呈するとともに、略雨滴形透孔の最狭部が各略矢印形透孔の相対する括れ部間に夫々配されてなるために、略矢印形透孔間で板材の中心を指向せる略雨滴形透孔を長大となしてその透孔度合いを極めて大きくなすことができる。
又、略矢印形透孔と略雨滴形透孔との間に残存する板部の閉塞幅が各透孔における最大開口幅以下となされているために、略矢印形透孔と略雨滴形透孔が板面を占有する面積が更に広くなり、多孔蓋としての透孔率を著しく増大させて、植栽用ブロックや植木鉢の水抜き孔にあっては、かかる各透孔を介して行われるべき植栽用充填材への通気や植栽用充填材からの排水が支障なく行われるとともに、前記各透孔の最大開口幅は、かかる多孔蓋に臨む植栽用充填材の主たる粒度（粒径）より稍小さく設定されるので、多孔蓋に目詰まりを生じたり、或いは、植栽用充填材が多孔蓋を通過したりすることがなく、水抜き孔の濾材として好適な使用が行える。
【００２１】
又、各種場所の排水孔や、建物、装置等の通気孔、換気孔にあっても、前記各透孔を介して排水或いは通気、換気が速やかに効率よくできるとともに、前記各透孔の最大開口幅は、排水孔或いは通気孔、換気孔の孔内の流通の妨げとなるゴミ、異物、小動物等の大きさより小さく設定されるので、多孔蓋に目詰まりを生じたり、或いは、ゴミ、異物、小動物等が多孔蓋を通過したりすることがなく、前記排水孔、通気孔、換気孔の濾材としても好適な使用が行える。
【００２２】
又、本発明の排水、換気用等の多孔蓋は、板材が湾曲状又は椀形状に曲成されてなるために、水抜き孔、排水孔、通気孔、換気孔への多孔蓋の設置に際し、その凸湾曲面又は凸椀形面を植栽用充填材と臨む側や排水孔、通気孔、換気孔の外方に向けて設置することで、凸曲成されてなる板材の張力により、植栽用ブロック及び植木鉢の水抜き孔にあっては植栽用充填材と植物の重量、各種場所の排水孔や建物、装置等の通気、換気孔にあっては不測の衝突力等に抵抗せる耐力を有して変形が生じず、又、板材の外周縁に凹部を設ければ、前記水抜き孔や排水孔にあって、該水抜き孔や排水孔と底部や床との連設部、即ち、多孔蓋と底部や床との境目に多数の凹部による排水機能が付加され、底部上や床上の流水を直接的に孔内へ落下させることができ、更に、前記湾曲状又は椀形状をなす多孔蓋の外周縁に凹部を併設すれば凸曲成せる板材の表面形状により、前記水抜き孔や排水孔にあっては板材の上面の板部に臨む流水が外周縁部に向かって下る勾配に導かれるとともに、その外縁部で多孔蓋の係止部たる水抜き孔や排水孔の上縁段部から浮上して板材と前記上縁段部との間に隙間を有してなる多数の凹部からスムーズに排水されるという特異性を有し、夫々前記略矢印形透孔と略雨滴形透孔と相まって強固で排水性能が更に高効率な濾材として、前記水抜き孔、排水孔、通気孔、換気孔で好適な使用が行える。
【図面の簡単な説明】
【図１】本発明の多孔蓋の一実施形態を示し、（イ）は正面図、（ロ）は（イ）のＢ−Ｂ断面図、（ハ）は（イ）のＣ−Ｃ断面図。
【図２】（イ）乃至（ハ）は、本発明の多孔蓋の他実施形態を示す正面図。
【図３】本発明の多孔蓋の使用例を示し、（イ）は植栽用ブロックの全体断面図、（ロ）は要部拡大平面図、（ハ）は（ロ）のＤ−Ｄ断面図。
【図４】本発明の多孔蓋の他の使用例を示し、（イ）は要部平面図、（ロ）は（イ）のＥ−Ｅ断面図、（ハ）は更に他の使用例を示す断面図。
【図５】本発明の多孔蓋の他の使用例を示し、（イ）は要部正面図、（ロ）は（イ）のＦ−Ｆ断面図。
【図６】本発明の多孔蓋の他実施の形態を示し、（イ）は平面図、（ロ）は正面図、（ハ）は（イ）のＧ−Ｇ断面図、（ニ）は使用例を示す要部平面図、（ホ）は（ニ）のＨ−Ｈ断面図、（ヘ）は（ホ）のＪ部拡大図。
【図７】（イ）及び（ロ）は、本発明の多孔蓋の更に他実施の形態の使用例を示す要部端面図。
【図８】本発明の多孔蓋の更に他実施の形態の使用例を示し、（イ）は要部平面図、（ロ）は（イ）のＫ−Ｋ断面図、（ハ）は要部平面図、（ニ）は（ハ）のＬ−Ｌ断面図。
【符号の説明】
１  多孔蓋
２  板材
２ａ  板部
２ｂ  係止片
３  略矢印形透孔
３ａ，４ａ  最狭部
３ｂ  括れ部
４  略雨滴形透孔
５  円孔
６  植栽用ブロック
７  水抜き孔
７ａ，１１ａ  上縁段部
７ｂ，１１ｂ  係止突起
７ｃ，１１ｃ  縦溝
１０  床
１１  排水孔
１２  壁
１３  換気孔
１６  凹部
１７  隙間
１８  通孔
Ａ  閉塞幅
ａ  最大開口幅
【図１】
0003661150.tif 000002
【図２】
0003661150.tif 000003
【図３】
0003661150.tif 000004
【図４】
0003661150.tif 000005
【図５】
0003661150.tif 000006
【図６】
0003661150.tif 000007
【図７】
0003661150.tif 000008
【図８】
0003661150.tif 000009